【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
少なくとも１種の多糖とフコース残基を有する糖ペプチドとを含むGanoderma Lucidum（レイシ）の抽出物のフコース含有糖タンパク質画分。
【請求項２】
前記画分が糖類成分を含み、該糖類成分がα１，２−フコシド結合で結合したフコース残基を含む請求項１記載のフコース含有糖タンパク質画分。
【請求項３】
前記画分が糖類成分を含み、該糖類成分が末端のフコース残基を含む請求項１記載のフコース含有糖タンパク質画分。
【請求項４】
少なくとも１種の多糖とフコース残基を有する糖ペプチドとを含むGanoderma Lucidum（レイシ）の抽出物のフコース含有糖タンパク質画分の有効量を該細胞に投与することを含む方法であって、
前記細胞が哺乳類細胞であり、前記方法が哺乳類細胞哺乳類細胞においてIL-1の遺伝子発現に伴う免疫調整現象を仲介する方法であるか、
前記細胞が哺乳類細胞であり、前記方法が哺乳類細胞において炎症性サイトカインの発現を刺激する方法であるか、
前記細胞が哺乳類細胞であり、前記方法が哺乳類細胞において炎症性サイトカインであるインターロイキン１と関連したプロテインキナーゼ経路を調整する方法であるか、
前記細胞が単核細胞であり、前記方法が単核細胞の分化を調整する方法であるか、
前記細胞がNK細胞であり、前記方法がNK感受性腫瘍細胞に対するNK細胞の細胞障害を増大させる方法であるか、
前記細胞が哺乳類細胞であり、前記方法が哺乳類細胞においてサイトカインの発現を活性化する方法であるか、
前記細胞がマウス脾臓B細胞又はヒトB細胞であり、前記方法がマウス脾臓B細胞又はヒトB細胞でのBlimp-1の発現を活性化する方法であるか、
前記細胞がヒト成熟樹状細胞であり、前記方法がヒト成熟樹状細胞でのBlimp-1の発現を活性化する方法であるか、
前記細胞がマクロファージであり、前記方法がマクロファージにおいてLPSによって誘導される一酸化窒素の生産を阻害する方法であるか、
前記細胞が脾臓細胞であり、前記方法が脾臓細胞の増殖を活性化する方法であるか、又は
前記細胞が脾臓細胞であり、前記方法が脾臓細胞のプロテオームを改変する方法である、方法。
【請求項５】
前記免疫調整現象が、インターロイキン１及び／又はその前駆体の分泌を含む請求項４記載の方法。
【請求項６】
前記フコース含有糖タンパク質画分の有効量が、インターロイキン１及び／又はその前駆体の分泌の上方制御を誘導する量である請求項５記載の方法。
【請求項７】
前記前駆体がプロIL-1タンパク質である請求項５記載の方法。
【請求項８】
前記免疫調整現象がインターロイキン１転換酵素の発現を含む請求項４記載の方法。
【請求項９】
前記フコース含有糖タンパク質画分の有効量が、インターロイキン１転換酵素の発現の上方制御を誘導する量である請求項８記載の方法。
【請求項１０】
前記細胞がヒトマクロファージ又はマウスマクロファージである請求項４記載の方法。
【請求項１１】
前記細胞がマウス脾臓細胞である請求項４記載の方法。
【請求項１２】
前記炎症性サイトカインがインターロイキン１である請求項４記載の方法。
【請求項１３】
前記フコース含有糖タンパク質画分の有効量が、細胞においてPKC、MEK1、PAK及び／又はMAPKsを活性化し、活性化したPKC、MEK1、PAK及び／又はMAPKsによって、複数のサイトカインの生産がもたらされる量である、哺乳類細胞における炎症性サイトカインの発現を刺激する請求項４記載の方法。
【請求項１４】
前記有効量が、PKC/MEK1/ERKシグナル伝達経路を活性化し、経路の活性化によって、インターロイキン１遺伝子発現の転写、転写後及び翻訳後の調節がもたらされる量である請求項１３記載の方法。
【請求項１５】
前記インターロイキン１遺伝子発現の翻訳後調節の制御がインターロイキン１転換酵素の活性化を含む請求項１４記載の方法。
【請求項１６】
シグナル伝達経路がPTK→PKC→MEK1→ERK経路を含む請求項１４記載の方法。
【請求項１７】
シグナル伝達経路がPTK→Rac1→PAK→→p38経路を含む請求項１４記載の方法。
【請求項１８】
前記経路がPTK→Rac1→PAK→→JNKである請求項１７記載の方法。
【請求項１９】
前記経路がPI3Kシグナル経路である請求項１４記載の方法。
【請求項２０】
哺乳類細胞においてTLRによって仲介される現象を誘導する方法であって、Ganoderma Lucidum（レイシ）の抽出物のフコース含有糖タンパク質画分の有効量を該細胞に投与することを含む該TLRによって仲介される現象を誘導する方法。
【請求項２１】
前記TLRによって仲介される現象が炎症性サイトカインの生産である請求項２２記載の方法。
【請求項２２】
前記炎症性サイトカインがインターロイキン１である請求項２３記載の方法。
【請求項２３】
前記フコース含有糖タンパク質画分の有効量が、細胞及び細胞の単球／マクロファージ分化においてCD14+CD26+発現の増加をもたらす量である、単核細胞の分化を調整する請求項４記載の方法。
【請求項２４】
前記フコース含有糖タンパク質画分の有効量が、細胞及び細胞の樹状細胞分化においてCD83+CD1a+発現の増加をもたらす量である、単核細胞の分化を調整する請求項４記載の方法。
【請求項２５】
前記フコース含有糖タンパク質画分の有効量が、細胞及び細胞のNK細胞分化においてCD16+CD56+発現の増加をもたらす量である、単核細胞の分化を調整する請求項４記載の方法。
【請求項２６】
前記フコース含有糖タンパク質画分の有効量が、NK感受性腫瘍細胞に対するNKの細胞障害の増大をもたらす量である請求項４記載の方法。
【請求項２７】
前記NK細胞が、CD3+CD56+NKT細胞またはCD3-CD56+NK細胞である、NK感受性腫瘍細胞に対するNK細胞の細胞障害を増大させる請求項４記載の方法。
【請求項２８】
サイトカインが、IL-1、IL6、IL-12、IFN-γ、TNF-α、GM-CSF、G-CSF及びM-CSFから成る群より選択される、哺乳類細胞においてサイトカインの発現を活性化する請求項４記載の方法。
【請求項２９】
前記フコース含有糖タンパク質画分の有効量が、細胞においてBlimp-1のmRNAを誘導する、ヒト成熟樹状細胞でのBlimp 1の発現を活性化する請求項４記載の方法。
【請求項３０】
適合する媒体、担体又は助剤中にて、少なくとも１種の多糖とフコース残基を有する糖ペプチドとを含むGanoderma Lucidum（レイシ）の抽出物のフコース含有糖タンパク質画分の有効量を含む組成物であって、前記組成物が、
哺乳類細胞においてIL-1遺伝子発現に伴う免疫調整を仲介するためのものであるか、
哺乳類細胞において炎症性サイトカインの発現を刺激するためのものであるか、
哺乳類細胞において炎症性サイトカインであるインターロイキン１と関連したプロテインキナーゼ経路を調整するためのものであるか、
哺乳類細胞においてTLRによって仲介される現象を誘導するためのものであるか、
単核細胞の分化を調整するためのものであるか、
NK感受性腫瘍細胞に対するNK細胞の細胞障害を増大させるためのものであるか、又は
哺乳類細胞でのサイトカインの発現を活性化するためのものである、前記組成物。
【請求項３１】
前記フコース含有糖タンパク質画分の有効量がインターロイキン１及び／又はその前駆体の分泌の上方制御を誘導する量である、哺乳類細胞においてIL-1遺伝子発現に伴う免疫調整を仲介するための請求項３０記載の組成物。
【請求項３２】
前記フコース含有糖タンパク質画分の有効量がインターロイキン１転換酵素の発現の上方制御を誘導する量である、哺乳類細胞においてIL-1遺伝子発現に伴う免疫調整を仲介するための請求項３０記載の組成物。
【請求項３３】
前記細胞がヒトマクロファージ、マウスマクロファージ又はマウス脾臓細胞である、哺乳類細胞においてIL-1遺伝子発現に伴う免疫調整を仲介するための請求項３０記載の組成物。
【請求項３４】
前記有効量が、細胞においてPKC、MEK1、PAK及び／又はMAPKsを活性化し、活性化したPKC、MEK1、PAK及び／又はMAPKsによって、複数のサイトカインの生産がもたらされる量である、哺乳類細胞において炎症性サイトカインであるインターロイキン１と関連したプロテインキナーゼ経路を調整するための請求項３０記載の組成物。
【請求項３５】
前記有効量が、PKC/MEK1/ERKシグナル伝達経路を活性化し、経路の活性化によって、インターロイキン１遺伝子発現の転写、転写後及び翻訳後の調節がもたらされる量である、哺乳類細胞において炎症性サイトカインであるインターロイキン１と関連したプロテインキナーゼ経路を調整するための請求項３０記載の組成物。
【請求項３６】
前記インターロイキン１遺伝子発現の翻訳後調節の制御が、インターロイキン１転換酵素の活性化を含む、哺乳類細胞において炎症性サイトカインであるインターロイキン１と関連したプロテインキナーゼ経路を調整するための請求項３０記載の組成物。
【請求項３７】
前記TLRによって仲介される現象が、細胞におけるインターロイキン１の生産である、哺乳類細胞においてTLRによって仲介される現象を誘導するための請求項３０記載の組成物。
【請求項３８】
前記有効量が、細胞及び細胞の単球／マクロファージ分化においてCD14+CD26+発現の増加をもたらす量である、単核細胞の分化を調整するための請求項３０記載の組成物。
【請求項３９】
前記有効量が、細胞及び細胞の樹状細胞分化においてCD83+CD1a+発現の増加をもたらす量である、単核細胞の分化を調整するための請求項３０記載の組成物。
【請求項４０】
前記有効量が、細胞及び細胞のNK細胞分化においてCD16+CD56+発現の増加をもたらす量である、単核細胞の分化を調整するための請求項３０記載の組成物。
【請求項４１】
前記NK細胞が、CD3+CD56+NKT細胞またはCD3-CD56+NK細胞である、NK感受性腫瘍細胞に対するNK細胞の細胞障害を増大させるための請求項３０記載の組成物。